【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムにおいて、
デビットカードからカード情報を読み取り、該カード情報と指定金額とを通信回線を介してデビットシステムに送信することにより、当該カード情報に対応した口座から前記指定金額を引き落とす決済処理を行わせる決済処理端末と、
前記決済処理端末による決済処理の完了により該決済処理に係わる指定金額に対応した有価価値が関連付けられた記録媒体を発行する媒体発行機と
を具備し、
前記決済処理端末は、
前記決済処理に係わる利用制限情報を記憶する記憶手段と、
前記決済処理端末による前記決済処理に際して、該決済処理が前記記憶手段に記憶された利用制限情報で規定される利用限度範囲内か否かを判定する判定手段と、
前記判定手段により前記決済処理が前記利用限度範囲内でないと判定された場合は、該決済処理を禁止するように規制する規制手段と
を具備する遊技システム。
【請求項２】
有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムにおいて、
デビットカードからカード情報を読み取り、該カード情報と指定金額とを通信回線を介してデビットシステムに送信することにより、当該カード情報に対応した口座から前記指定金額を引き落とす決済処理を行わせる決済処理端末と、
前記決済処理端末からの決済処理の完了通知により該決済処理に係わる指定金額に対応した有価価値が関連付けられた記録媒体を発行する媒体発行機と、
会員カードから会員情報を読み取り、該会員情報に基づき各会員に対応した処理を行う会員管理端末と、
会員情報を記憶し、前記会員管理端末から受け取った会員情報に基づき会員の管理を行う会員管理装置と
を具備し、
前記会員管理装置は、
前記決済処理に係わる利用制限情報を前記会員情報に対応して記憶する記憶手段と、
前記決済処理端末による決済処理に際して、前記会員管理端末から受け取った会員情報に基づき該決済処理が前記記憶手段に記憶された利用制限情報で規定される利用限度範囲内であるか否かを判定する判定手段と、
前記判定手段により前記決済処理が前記利用限度範囲内でないと判定された場合は該決済処理を禁止するように規制する規制手段と
を具備する遊技システム。
【請求項３】
有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムにおいて、
デビットカードからカード情報を読み取り、該カード情報と指定金額とを通信回線を介してデビットシステムに送信することにより、当該カード情報に対応した口座から前記指定金額を引き落とす決済処理を行わせる決済処理手段および前記決済処理手段による決済処理の完了により該決済処理に係わる指定金額に対応した有価価値が関連付けられた記録媒体を発行する媒体発行手段を有する遊技料金処理ユニット
を具備し、
前記遊技料金処理ユニットは、
前記決済処理に係わる利用制限情報を記憶する記憶手段と、
前記決済処理手段による前記決済処理に際して、該決済処理が前記記憶手段に記憶された利用制限情報で規定される利用限度範囲内か否かを判定する判定手段と、
前記判定手段により前記決済処理が前記利用限度範囲内でないと判定された場合は、該決済処理を禁止するように規制する決済処理規制手段と
を具備する遊技システム。
【請求項４】
前記利用制限情報は、
一定期間内の利用上限金額、一定期間内の利用上限回数、１回の利用における上限金額、１回の利用における下限金額のうちの少なくとも１つを含む請求項１乃至３のいずれかに記載の遊技システム。
【請求項５】
前記判定手段は、
前記デビットカードの識別情報に基づき、前記決済処理が前記記憶手段に記憶された利用制限情報で規定される利用限度範囲内であるか否かの判定を行う請求項１乃至３のいずれかに記載の遊技システム。
【手続補正２】
【補正対象書類名】明細書
【補正対象項目名】発明の名称
【補正方法】変更
【補正の内容】
【発明の名称】遊技システム
【手続補正３】
【補正対象書類名】明細書
【補正対象項目名】０００１
【補正方法】変更
【補正の内容】
【０００１】
本発明は、パチンコ店等の遊技場に設置され、プリペイドカード等の遊技用記録媒体を受け入れて、該記録媒体に付与された有価価値または有価価値を特定する情報に基づいて遊技媒体を貸し出し可能とするカードシステムを備えた遊技システムに係わり、詳しくは、遊技媒体の貸し出しにデビットカードも併用できるようにした遊技システムに関する。
【手続補正４】
【補正対象書類名】明細書
【補正対象項目名】００１０
【補正方法】変更
【補正の内容】
【００１０】
本発明は上記問題点を解消し、遊技場内に設置されたデビット端末での決済金額を制限することにより、遊技客を遊技にのめり込ませることを抑制できる遊技システムを提供することを目的とする。
【手続補正５】
【補正対象書類名】明細書
【補正対象項目名】００１１
【補正方法】変更
【補正の内容】
【００１１】
上記目的を達成するため、請求項１の発明は、有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムにおいて、デビットカードからカード情報を読み取り、該カード情報と指定金額とを通信回線を介してデビットシステムに送信することにより、当該カード情報に対応した口座から前記指定金額を引き落とす決済処理を行わせる決済処理端末と、前記決済処理端末による決済処理の完了により該決済処理に係わる指定金額に対応した有価価値が関連付けられた記録媒体を発行する媒体発行機とを具備し、前記決済処理端末は、前記決済処理に係わる利用制限情報を記憶する記憶手段と、前記決済処理端末による前記決済処理に際して、該決済処理が前記記憶手段に記憶された利用制限情報で規定される利用限度範囲内か否かを判定する判定手段と、前記判定手段により前記決済処理が前記利用限度範囲内でないと判定された場合は、該決済処理を禁止するように規制する規制手段とを具備する。
【手続補正６】
【補正対象書類名】明細書
【補正対象項目名】００１２
【補正方法】変更
【補正の内容】
【００１２】
また、請求項２の発明は、有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムにおいて、デビットカードからカード情報を読み取り、該カード情報と指定金額とを通信回線を介してデビットシステムに送信することにより、当該カード情報に対応した口座から前記指定金額を引き落とす決済処理を行わせる決済処理端末と、前記決済処理端末からの決済処理の完了通知により該決済処理に係わる指定金額に対応した有価価値が関連付けられた記録媒体を発行する媒体発行機と、会員カードから会員情報を読み取り、該会員情報に基づき各会員に対応した処理を行う会員管理端末と、会員情報を記憶し、前記会員管理端末から受け取った会員情報に基づき会員の管理を行う会員管理装置とを具備し、前記会員管理装置は、前記決済処理に係わる利用制限情報を前記会員情報に対応して記憶する記憶手段と、前記決済処理端末による決済処理に際して、前記会員管理端末から受け取った会員情報に基づき該決済処理が前記記憶手段に記憶された利用制限情報で規定される利用限度範囲内であるか否かを判定する判定手段と、前記判定手段により前記決済処理が前記利用限度範囲内でないと判定された場合は該決済処理を禁止するように規制する規制手段とを具備する。
【手続補正７】
【補正対象書類名】明細書
【補正対象項目名】００１３
【補正方法】変更
【補正の内容】
【００１３】
また、請求項３の発明は、有価価値が関連付けられた記録媒体を受け入れ、該有価価値に基づいて遊技媒体を貸し出す処理を行う記録媒体処理装置と、前記遊技媒体を用いて遊技を行う遊技機とを有する遊技システムにおいて、デビットカードからカード情報を読み取り、該カード情報と指定金額とを通信回線を介してデビットシステムに送信することにより、当該カード情報に対応した口座から前記指定金額を引き落とす決済処理を行わせる決済処理手段および前記決済処理手段による決済処理の完了により該決済処理に係わる指定金額に対応した有価価値が関連付けられた記録媒体を発行する媒体発行手段を有する遊技料金処理ユニットを具備し、前記遊技料金処理ユニットは、前記決済処理に係わる利用制限情報を記憶する記憶手段と、前記決済処理手段による前記決済処理に際して、該決済処理が前記記憶手段に記憶された利用制限情報で規定される利用限度範囲内か否かを判定する判定手段と、前記判定手段により前記決済処理が前記利用限度範囲内でないと判定された場合は、該決済処理を禁止するように規制する決済処理規制手段とを具備する。
【手続補正８】
【補正対象書類名】明細書
【補正対象項目名】００１４
【補正方法】変更
【補正の内容】
【００１４】
また、請求項４の発明は、請求項１乃至３のいずれかの発明において、前記利用制限情報は、一定期間内の利用上限金額、一定期間内の利用上限回数、１回の利用における上限金額、１回の利用における下限金額のうちの少なくとも１つを含む。
【手続補正９】
【補正対象書類名】明細書
【補正対象項目名】００１５
【補正方法】変更
【補正の内容】
【００１５】
また、請求項５の発明は、請求項１乃至３のいずれかの発明において、前記判定手段は、前記デビットカードの識別情報に基づき、前記決済処理が前記記憶手段に記憶された利用制限情報で規定される利用限度範囲内であるか否かの判定を行う。
【手続補正１０】
【補正対象書類名】明細書
【補正対象項目名】００１６
【補正方法】削除
【補正の内容】
【手続補正１１】
【補正対象書類名】明細書
【補正対象項目名】００４６
【補正方法】変更
【補正の内容】
【００４６】
本発明のシステムの構成上の特徴として、上記各島３０の構成要素として更にデビット端末８０が追加されている。このデビット端末８０は、図１に示す如く、カード発行機６０に隣接して設置され、かつ当該カード発行機６０と通信路で接続されている。
【手続補正１２】
【補正対象書類名】明細書
【補正対象項目名】００４７
【補正方法】変更
【補正の内容】
【００４７】
また、このデビット端末８０は、パチンコ店３の店外において、公衆回線網４を介して情報処理センタ５に接続されている。
【手続補正１３】
【補正対象書類名】明細書
【補正対象項目名】００５３
【補正方法】変更
【補正の内容】
【００５３】
このデビットカードによる決済の制限をかける処理を行う部分としては、後で述べるように、デビットカードシステム内の情報処理センタ５とすることができるし、デビット端末８０若しくは会員管理システム（会員管理用Ｔ／Ｃ１０）とすることもできる。
【手続補正１４】
【補正対象書類名】明細書
【補正対象項目名】０１１９
【補正方法】変更
【補正の内容】
【０１１９】
また、本実施例では、デビット端末８０とカード発行機６０を独立に設けたが、これらを１ユニット（請求項の遊技料金処理ユニットに相当）内に一体化した構造としても良い。